(57)【要約】【課題】連続印刷物中に異物の混入が少なく、かつドクターロール上でのインキ堆積を低減することで、ムラのない高品質な印刷が可能な凸版印刷装置を提供する。【解決手段】少なくとも、印刷パターンが形成された樹脂製の凸版と、前記凸版を着装するシリンダー状版胴と、前記凸版にインキを供給するアニロックスロールと、前記アニロックスロールにインキを供給するインキチャンバと、前記アニロックスロール上の余剰インキを掻き落とすドクターロールと、前記ドクターロール上に堆積したインキを吸引するインク吸引ノズルと、吸引されたインクを再利用するための循環装置と、被印刷物を載置する定盤とを具備することを特徴とする凸版印刷装置。【選択図】図１
2013123836.tif 000002
【特許請求の範囲】
【請求項１】
少なくとも、印刷パターンが形成された樹脂製の凸版と、前記凸版を着装するシリンダー状版胴と、前記凸版にインキを供給するアニロックスロールと、前記アニロックスロールにインキを供給するインキチャンバと、前記アニロックスロール上の余剰インキを掻き落とすドクターロールと、前記ドクターロール上に堆積したインキを吸引するインク吸引ノズルと、吸引されたインクを再利用するための循環装置と、被印刷物を載置する定盤とを具備することを特徴とする凸版印刷装置。
【請求項２】
前記ドクターロールと前記インク吸引ノズルとは非接触であり、且つ、前記インク吸引ノズルがスリットノズル形状であることを特徴とする請求項１に記載の凸版印刷装置。
【請求項３】
前記インク吸引ノズルのスリット幅が、０．１ｍｍから１ｍｍであることを特徴とする請求項１または２に記載の凸版印刷装置。
【請求項４】
前記インク吸引ノズルのノズル先端の設置位置が、前記アニロックスロールと前記ドクターロールの接触位置から連れ回り方向に９０°の位置以下の範囲であることを特徴とする請求項１〜３のいずれかに記載の凸版印刷装置。
【請求項５】
前記インク吸引ノズルと前記ドクターロールとのクリアランスが、０．０１ｍｍから０．５ｍｍであることを特徴とする請求項１〜４のいずれかに記載の凸版印刷装置。
【請求項６】
前記循環装置が、エジェクター回収タンク、回収ポンプ、送液ポンプ、プレフィルター、フィルター、粘度調整装置を具備することを特徴とする請求項１〜５のいずれかに記載の凸版印刷装置。
【発明の詳細な説明】
【技術分野】
【０００１】
本発明は、機能性薄膜を高品質に形成するための凸版印刷装置に関する。
【背景技術】
【０００２】
近年、微細薄膜パターン形成において、量産性に優れ、製造コストを低く抑えることが可能である公知の印刷方式を利用する試みが検討されている。特にディスプレイ分野では、画面の大型化、コストの低減化に対応するため、印刷方式によって有機半導体や、導電材料を代表とする機能性薄膜をパターン形成する検討が進められている。
【０００３】
具体的な印刷方式としてはオフセット印刷、グラビア印刷、グラビアオフセット印刷、凸版印刷法などが検討されている。
【０００４】
これらの各種印刷手法の中で特に樹脂からなる凸版を用いる樹脂凸版印刷法は、前記凸版と、アニロックスロールと呼ばれる表面に細かい凹部（セル）が彫刻されたインキ供給ロールと、溶剤乾燥型のインキからなる印刷方式であり、従来から包装紙などの印刷物に広く使用されている。この樹脂凸版印刷法は、膜厚０．０１〜０．２μｍ程度の薄膜の形成に特に適している。
【０００５】
また、樹脂凸版印刷法はキスタッチと称されるごく低印圧での印刷が可能であることから、ガラス基板や高い圧力をかけることによって特性が破壊され易い透明電極等が成膜された基板に対する印刷にも適しており、ディスプレイ等の電子部品のパターン形成に特に適した印刷方法である。
【０００６】
以下に、図２を参照に一般的な凸版印刷装置２００について説明する。
この凸版印刷装置２００は、凸版２０４の版面にインキを供給するためのセルを有するアニロックスロール２０１と、アニロックスロールにインキを供給するインキチャンバ２０８と版下クッション２０３を介してパターン形成用の凸版２０４が装着される回転式の版胴２０５と、被印刷基板２０７が載置される基板定盤２０６と、インキを掻き落とすドクタリングを行うドクターブレード２０２を有して構成されている。
【０００７】
次に、図２の凸版印刷装置２００を用いた際の印刷の流れについて説明する。
まず基板定盤２０６上に被印刷基板２０７が載置された後、版胴２０５の直下まで移動する。基板定盤２０６が移動したならば、版胴２０５が基板定盤２０６の動作と同期回転し、版胴２０５と等速で動作するアニロックスロール２０１より、凸版２０４へインキが供給される。凸版２０４へインキが供給された後速やかに凸版上のインキは被印刷基板２０７へ転写され印刷動作が終了する。
【０００８】
ここで、ドクターブレード２０２はアニロックスロール２０１上に塗布されたインキのうち余剰インキを掻き落とすことによってアニロックスロールセル内に均一にインキを押し込むために、２０ｋＰａ程度の圧力でアニロックスロールへ押し当てられる。そのため、アニロックスロール、ドクターブレードの両者が磨耗し、その削れ分がインキの中へ混入する問題があった。
【０００９】
アニロックスロール２０１やドクターブレード２０２は一般的に、金属酸化物、若しくは樹脂からなる為、これらが異物としてインキ内に混入することとなる。インキ中に混入した異物は最終的に印刷膜中に残留する。
【００１０】
この異物は、従来の樹脂凸版印刷法において主な対象であった一般印刷物ならば、大きな問題とならないが、有機半導体薄膜や、有機ＥＬ薄膜などを代表とする機能性薄膜の微細パターニングなどを目的としたエレクトロニクス部材向け印刷では、削れた異物が原因で製品不良となる。特に異物が金属の場合、導電することによりショートを起こすなどの不具合が発生するため、異物を低減する必要がある。
【００１１】
以上のように、アニロックスロール上のインキを掻き落とす手段としては主として、ドクターブレードが用いられているが、その他の手段として特許文献１に示すように、ゴムロールをドクターとして使用するドクターロール手法も使用されている。
【００１２】
ドクターロール手法を用いることによって、ドクターブレード手法で発生したような異物の発生は低く抑えられることが出来るが、本手法は連続で印刷する際、ドクターロール上にわずかに堆積するインキにより、印刷回数が増えると堆積量が増え面内の膜厚にムラが生じる問題があった。
【先行技術文献】
【特許文献】
【００１３】
【特許文献１】特開２００１−０８３４９５号公報
【発明の概要】
【発明が解決しようとする課題】
【００１４】
上記問題点を鑑みて、本発明では、連続印刷物中に異物の混入が少なく、かつドクターロール上でのインキ堆積を低減することで、ムラのない高品質な印刷が可能な凸版印刷装置を提供することにある。
【課題を解決するための手段】
【００１５】
上記課題を解決する為に、本発明者らが鋭意研究を行った結果、ドクターロールを用い連続でドクタリングを実施した際に発生するドクタリング不良発生原因は、ドクターロール上でのインキの乾燥による堆積が起こり、アニロックスロール上のインキの掻きとりにムラが発生することによることが分かった。
【００１６】
上記課題を解決するために、本発明の請求項１に係る発明は、少なくとも、印刷パターンが形成された樹脂製の凸版と、前記凸版を着装するシリンダー状版胴と、前記凸版にインキを供給するアニロックスロールと、前記アニロックスロールにインキを供給するインキチャンバと、前記アニロックスロール上の余剰インキを掻き落とすドクターロールと、前記ドクターロール上に堆積したインキを吸引するインキ吸引ノズルと、吸引されたインキを再利用するための循環装置と、被印刷物を載置する定盤とを具備することを特徴とする凸版印刷装置である。
【００１７】
また、請求項２に係る発明は、前記ドクターロールと前記インキ吸引ノズルとは非接触であり、且つ、前記インキ吸引ノズルがスリットノズル形状であることを特徴とする請求項１に記載の凸版印刷装置である。
【００１８】
また、請求項３に係る発明は、前記インキ吸引ノズルのスリット幅が、０．１ｍｍから１ｍｍであることを特徴とする請求項１または２に記載の凸版印刷装置である。
【００１９】
また、請求項４に係る発明は、前記インキ吸引ノズルのノズル先端の設置位置が、前記アニロックスロールと前記ドクターロールの接触位置から連れ回り方向に９０°の位置以下の範囲であることを特徴とする請求項１〜３のいずれかに記載の凸版印刷装置である。
【００２０】
また、請求項５に係る発明は、前記インキ吸引ノズルと前記ドクターロールとのクリアランスが、０．０１ｍｍから０．５ｍｍであることを特徴とする請求項１〜４のいずれかに記載の凸版印刷装置である。
【００２１】
また、請求項６に係る発明は、前記循環装置が、エジェクター回収タンク、回収ポンプ、送液ポンプ、プレフィルター、フィルター、粘度調整装置を具備することを特徴とする請求項１〜５のいずれかに記載の凸版印刷装置である。
【発明の効果】
【００２２】
本発明の凸版印刷装置を用いることによって、印刷物中に異物が含まれることなく、また、ムラがなく均一な機能性薄膜を有する機能性材料を提供することが出来る。
【図面の簡単な説明】
【００２３】
【図１】本発明の一実施形態を示す凸版印刷装置の断面模式図である。
【図２】従来の凸版印刷装置の断面模式図である
【発明を実施するための形態】
【００２４】
以下、この発明を実施するための最良の形態を図面に基づいて説明する。なお。本発明はこれに限るものではない。
【００２５】
図１は本発明の一実施形態を示す凸版印刷装置１００の断面模式図であり、特にアニロックスロール１０１からなるインキ供給の機構を中心に説明する。
図１に示す凸版印刷装置１００は、パターン形成用の樹脂製の凸版１０４が装着されるシリンダー式の版胴１０５、凸版１０４に接してインキを供給するアニロックスロール１０１、アニロックスロールへインキを供給する為のインキチャンバ１０８、アニロックスロール１０１上の余剰インキを掻き落とすドクターロール１０２、ドクターロールの上に堆積したインキを吸引するインキ吸引ノズル１１０、吸引されたインキを再利用するための循環装置１２０、及び前記凸版のインキが転写される被印刷物１０７を載置する位置決め定盤１０６を具備することを特徴とする凸版印刷装置である。
【００２６】
本発明の凸版印刷装置１００に用いることが出来るアニロックスロール１０１としては、ＳＵＳ材などで作成された芯ロール上に、酸化クロムをプラズマ溶射して形成した酸化クロム皮膜を、レーザー彫刻によってパターニングしたセラミックスロール、又は、芯ロール上に銅メッキを施した後樹脂を塗布し、レーザーパターニングした後に腐食処理をし、得られたパターン上にクロムメッキを施したクロムロールのいずれも用いることが出来る。前記のアニロックルロール上に形成されるパターンとしては、ヘリカルパターン、ＦＭパターン、ハニカムパターン、ダイヤパターン、ドットパターンなどいずれのパターンも用いることが出来る。
【００２７】
また、これらのパターンはモアレを防止する為に適宜角度を設けても良い。
これらのパターンが形成された後、アニロックスロール１０１表面は、ドクターロール１０２側に傷をつけるのを防止する為に研磨されることが望ましい。具体的にはアニロックスロールのパターン土手部において４μｍ以上の突起がなくなるよう研磨されることが望ましい。
【００２８】
アニロックスロール１０１を回転する機構としては、回転速度ムラが印刷物に大きな影響を与える為、高精度に回転を制御可能なサーボモータでダイレクトドライブを行うことが望ましい。また、必要トルクを得るために減速機構を使用する場合にはバックラッシュレスの機構を用いることが望ましい。
【００２９】
次に、使用することが出来るドクターロール１０２としてはＳＵＳ材などで作成された芯ロールに、ニトリルゴム、シリコーンゴム、イソプレンゴム、スチレンブタジエンゴム、ブタジエンゴム、クロロプレンゴム、ブチルゴム、アクリロニトリルゴム、エチレンプロピレンゴム、ウレタンゴムなどを巻きつけて作成してもよいし、これらのゴムローラ上に、ＰＦＡ熱収縮チューブを巻きつけたものなどを用いることが出来る。これらゴム材は、インキとして使用する溶剤に対する耐性から選定される。
【００３０】
これらゴムロールの表面は算術表面粗さＲａが０．１μｍ以下、最大高さＲｚが１μｍ以下であることが望ましい。これらの条件を満たすことによって低発塵かつ、平滑なドクタリング面を得ることが出来る。
【００３１】
次に、本発明の凸版印刷装置１００に使用するドクターロール１０２の硬度としてはＪＩＳ−Ａ硬度で３０°〜７０°の範囲でいずれも使用することが出来る。
ドクターロール１０２を回転する機構としては、回転速度ムラが印刷物に大きな影響を与える為、高精度に回転を制御可能なサーボモータを使用し、ダイレクトドライブで行うことが望ましく、アニロックスロール１０１の回転と同期回転可能な形で制御することが出来るシステムを持つことが望ましい。
【００３２】
次に前記凸版印刷装置１００を用いた際の実際の動作について説明する。
基板定盤上１０６に、ガラス基板１０７を載置した後、印刷開始指示によって印刷動作が開始される。
【００３３】
この間、アニロックスロール１０１上にはインキが供給されドクタリングが継続的に実施され平滑にドクタリングされた表面が常に保持されている。ドクタリングする際の速度はドクタリングが安定する領域で任意に選択することが出来る。
【００３４】
次にインキ吸引ノズル１１０について説明する。
形状は幅方向で均一に吸引可能なスリットノズルが望ましい。ドクターロール１０２上に発生したムラは堆積し、アニロックスロール１０１上の余剰インキの掻きにムラが生じ転写不良の原因となる。そのために、前記インキ吸引ノズル１１０のスリット幅は０．１ｍｍ〜１ｍｍが好ましい。この範囲であれば、ドクターロール１０２上に堆積したインキの塊サイズに対してムラなく吸引できる。
【００３５】
また、前記インキ吸引ノズル１１０はドクターロール１０２に非接触位置で使用することにより、ドクターロール１０２のインキ拭き取りロールなど接触する方式に比べ異物発生源がなく、有機ＥＬ薄膜などを代表とする機能性薄膜の微細パターニングなどを目的としたエレクトロニクス部材向け印刷では、削れた異物が原因を減少できる。
【００３６】
また、前記インキ吸引ノズル１１０とドクターロール１０２とのクリアランスは、ドクターロール１０２に付着する液滴と十分に接しドクターロール１０２とインキ吸引ノズル１１０の間に毛細管現象を起こす距離、０．０１ｍｍ〜０．５ｍｍの範囲が望ましい。
【００３７】
吸引方法としては、機械的運動によるポンプ、圧縮空気から直接吸引を得る事ができるエジェクターがあるが、圧縮空気から直接吸引を得る事ができるエジェクター１１１が異物の混入がなく、吸引圧力は０．０１Ｍｐａ〜０．１Ｍｐａが望ましい。吸引力がこれより小さいと液の回収が十分にできず、インキの残渣が残り、ムラとなる。また吸引圧が大きいとインキが揮発性溶剤の場合、乾燥を促してしまいムラの原因となる。
【００３８】
インキ吸引ノズル１１０の設置位置は、ドクターロール１０２に付着したインキが乾燥する前のウエットな状態で吸引するため接触位置から近い位置である、ドクターロール１
０２とアニロックロール１０１の接点から連れ回り方向に９０°の範囲以内の位置にあることが望ましい。インキ吸引ノズル１１０の設置位置が９０°を越えると、インキの一部に乾燥が生じ、インキの吸引が不十分となる。
【００３９】
またインキの乾燥による凝集と固着を防ぐため、溶剤を塗出させ再溶解しインキ吸引ノズル１１０でインキ回収してもよい。その際、溶剤塗出のノズルの形態として、１流体ノズル・２流体ノズル・パルスジェットなどのスプレーやスリットノズルを使用してもよいが、洗浄液の飛散を防止するためカバーや局所排気を設置する必要がある。また液の溶剤塗出後に溶剤がドクターロール上で垂れないようインキ吸引ノズル１１０の位置は、溶剤塗出部から近い位置で吸引することが望ましい。
【００４０】
本発明に係る前記循環装置１２０は、前記インキ吸引ノズル１１０から回収したインキを再生し前記インキチャンバ１０８へ循環する装置であり、エジェクター回収タンク１１１、回収ポンプ１１２、プレフィルター１１４、フィルター１１５、粘度調整装置１１３で構成される。
【００４１】
前記循環装置１２０により、インキ吸引ノズル１１０で吸引されたインキを、インキチャンバー１０８内に戻し再利用することができるため、有機半導体や導電材料を代表とする高価なインキを用いて機能性薄膜を形成することにおいて、インキの利用効率を大幅に向上させる作用効果が得られる。
【００４２】
具体的には前記循環装置１２０により以下の循環サイクルで再利用される。すなわち、インキは、インキ吸引ノズル１１０で吸引された後に、プレフィルター１１４により大きなインキ凝集物を取り除きながらエジェクター回収タンク１１１に回収され、次に回収ポンプ１１２によってエジェクター回収タンク１１１から粘度調整装置１１３に液が流れ込み、さらに溶剤滴下により粘度調整されて、送液ポンプ１１６にてフィルター１１５を通り、インキチャンバー１０８へ送られ再利用される。
【００４３】
前記エジェクター回収タンク１１１は、真空エジェクタータンク、蒸気エジェクター、水エジェクターがあるが、インキ中に水分などの混入など面から真空エジェクタータンクが望ましい。
【００４４】
前記回収ポンプ１１２は、エジェクター回収タンク１１１から粘度調整装置１１３までの送液を行うものであり、ピストンポンプ、ダイヤフラムポンプ、プランジャーポンプいずれでも良いが、使用するインキの溶剤や目標粘度によって選定される。また前記送液ポンプ１１５は、粘度調整装置１１３からインキチャンバー１０８をまでの送液を行うものであり、ピストンポンプ、ダイヤフラムポンプ、プランジャーポンプいずれでも良いが、使用するインキの溶剤や目標粘度によって選定される。
【００４５】
前記プレフィルター１１４は、大きな凝集固形インキを取り除くために設置し、前記フィルター１１５は、プレフィルターよりも目の細かいものを使用すること望ましい。プレフィルター１１４フィルター１１５の材質は、インキに対する耐性によって選定される。
【００４６】
前記粘度調整装置１１３は、インキを溜め込む形状になっており粘度計と攪拌装置と溶剤滴下装置が設置され、また、インキチャンバー１０８内のインキの粘度を計測した結果をもとに、フィードバックしインキ滴下のタイミングを自動的に制御できることから、溶剤滴下の命令信号をだす粘度の値を設定することで、コントロールしたい粘度の上限以下で系内のインキ粘度をコントロールすることが可能となる。
【００４７】
次に基板定盤１０６が版胴直下に移動した後、アニロックスロール１０１より版上へイ
ンキが転写され、その後版胴回転と同期した基板上に置かれたガラス基板１０７へ印刷が行われる。アニロックスロール１０１から版上へインキを転写する際のアニロックスロール表面速度は、ドクタリング速度と等速でもよいが、ドクタリング速度が低速の場合は転写に時間がかかる為、転写速度を早くしても良い。ただし、転写速度を早くする場合には、安定したドクタリング表面が版に転写されるように転写開始位置を調整する必要がある。
以上の動作を実施することによって良質な印刷物を得ることが出来る。
【実施例】
【００４８】
以下に、本発明の実施例について述べる。なお、本発明は実施例に限定されるものではなく、本発明を達成できる範囲での改良・変形等は、本発明の趣旨を逸脱するものではない。
【００４９】
＜実施例１＞
図１に示した凸版印刷装置により、以下に記載の高分子型有機発光材料を用いてガラス板上へ印刷した。
【００５０】
＜アニロックスロールのパターン形成＞
アニロックスロールとして、面長２００ｍｍのクロムメッキロールを用いた。前記アニロックスロールには、１辺６５μｍの正方形のセルを、７２．５μｍピッチで、ロール水平線より６０°傾けてパターン形成した。なお、上記パターンはアニロックスロールの周面に１８０ｍｍにわたり形成した。
【００５１】
＜ドクターロール＞
ドクターロールとして、ＳＵＳ芯上に硬度ＪＩＳ−Ａ５０°のウレタンゴムを巻き付け、円柱状に加工した。加工したウレタンゴムロール上にＰＦＡ（ペルフルオロアルコキシフッ素樹脂）熱収縮チューブを巻きつけた後、研磨を実施しＲａが０．０５μｍ、Ｒｚが１μｍとした。
【００５２】
前記アニロックスロールに対して、前記ドクターロールを５０μｍ押込む形で設置した。設置されたアニロックスロール及び、ドクターロールはそれぞれサーボモータで駆動される。
【００５３】
＜インキ吸引ノズル＞
インキ吸引ノズルとして、幅方向で均一に吸引可能なスリット幅１８０×１ｍｍの、材質ＳＵＳ３０４製スリットノズルを用いた。ドクターロールとのクリアランスは０．５ｍｍとドクターロールとスリットノズルの間に十分液が毛細管現象を起す位置に設置。さらにアニロックスロールとドクターロールとの接点から９０°の位置にノズル先端を設置し、吸引はエジェクターを使用し圧力を０．０５Ｍｐａとし常時吸引とした。
【００５４】
＜樹脂による凸版の作製＞
厚さ０．２ｍｍのＳＵＳ３０４製の板の表面に反射抑制層として黒色油性染料を厚さ１．５μｍになるようにダイコート法により塗工した。この積層体の表面にポリアミドを主成分とするネガ型感光性樹脂を総厚が１００μｍとなるように塗工し、凸版のベースとした。
【００５５】
次に、前記凸版のベースに対し、ストライプ上のパターンを有するネガパターン（有効領域開口１０６μｍ＊１００ｍｍ、非開口スペース３９２μｍ＊１００ｍｍ、総有効線数４００本、サイス゛Ｗ２００ｍｍ  Ｌ１００ｍｍ）が描画されたクロムマスクを用いて、５０μｍのプロキシミティギャップを開けて、露光を行った。露光の後、温水を掛け流し
ながら現像を行い、凸部の高さ９０μｍ、凸部のライン幅１０６μｍ、スペース３９２μｍの凸版を作製した。作製した前記凸版を前記凸版印刷装置の版胴に、０．５ｍｍ厚の印刷用クッションテープを用いて貼り付けた。
【００５６】
＜インキ＞
高分子有機発光材料であるポリフェニレンビニレン誘導体を濃度２％になるようにアニソールに溶解させた有機発光インキを用意した。用意したインキの、粘度を測定したところ６０ｍＰａ・ｓであり、表面張力は３４ｍＮ／ｍであった。その後、インキを前記凸版印刷装置のチャンハ゛ーへ投入した。
【００５７】
＜循環装置＞
インキ吸引ノズル、エジェクター回収タンク、プレフィルター、フィルター、粘度調整装置、各装置間を径φ４のテフロン（登録商標）チューブで繋げ、プレフィルターは１μｍのメンブレンフィルターフィルターの０．４５μｍのメンブレンフィルターを使用した。
【００５８】
回収、送液ポンプは、シールレスで定量性に優れているダイヤフラムポンプを使用し、アニソール溶剤耐性と粘度６０ｍＰａ・ｓで定量性のあるものを使用した。
【００５９】
粘度調整装置は、ＳＵＳ３０４製の液溜め槽の中に、マグネット式の攪拌機と振動式粘度計と連動させた滴下装置を備え、粘度計の値から、その信号をフィードバックさせ液溜め槽へアニソールを滴下させ、粘度を６０ｍＰａ・ｓから±５ｍＰａ・ｓの範囲で調整した。
【００６０】
＜印刷＞
以上の装置、版、発光材料インキを用いて３００ｍｍ角０．７ｍｍ厚みのソーダガラス上に印刷を行った。印刷はタクト６０ｓで行い、ドクタリング速度は１０ｍｍ／ｓ、印刷速度は１００ｍｍ／ｓとし、連続で５０枚印刷を行った。
【００６１】
＜比較例１＞
インキ吸引ノズルの設置をせずに、他は実施例１と同様にして印刷を行なった。
【００６２】
＜比較例２＞
ドクターロールにウレタンゴムを巻き付けた状態で使用した他は、実施例１と同様にして印刷を行なった。
【００６３】
＜比較例３＞
インキ吸引ノズルを９０°以上に設置した以外は、実施例１と同様にして印刷を行った。
【００６４】
＜評価＞
実施例１及び比較例１〜３で得られた印刷物及びドクターロール表面について、以下の評価をおこない、その結果を表１に示す。
１．異物混入〜顕微鏡確認による判定  ○：異常なし、×：異物確認
２．印刷ムラ〜目視確認による判定  ○：異常なし、×：異物確認
【００６５】
【表１】
2013123836.tif 000003
【００６６】
＜比較結果＞
実施例１で得られた本発明品は、連続５０枚の印刷の結果、印刷物の印刷ムラやドクターロールの異物混入及び汚れはなく、良好な結果が得られた。一方、比較例１で得られた印刷物は、１０枚目でインキの堆積（凝集物）によるムラとドクターリング不良によるムラが確認された。また、比較例２では、３８枚目で削れによる異物とインキ凝集物によるムラ、及び４５枚目で異物が確認された。またさらに、比較例３では、３３枚目でドクターロール上での乾燥によるインキ凝集物のムラが確認された。
【符号の説明】
【００６７】
１００    本発明の凸版印刷装置
１０１    アニロックスロール
１０２    ドクターロール
１０３    版下クッション
１０４    凸版
１０５    版胴
１０６    基板定盤
１０７    被印刷基板
１０８    インキチャンバ
１１０    インキ吸引ノズル
１１１    エジェクター回収タンク
１１２    粘度調整装置
１１３    回収ポンプ
１１４    プレフィルター
１１５    フィルター
１１６    送液ポンプ
１２０    循環装置
２００    従来の凸版印刷装置
２０１    アニロックスロール
２０２    ドクターブレード
２０３    版下クッション
２０４    凸版
２０５    版胴
２０６    基板定盤
２０７    被印刷基板
２０８    インキチャンバ
【図１】
2013123836.tif 000004
【図２】
2013123836.tif 000005